(57)【要約】【課題】種々の操作ハンドル装置を排水弁装置と組合せる場合においても、排水弁装置は排水弁体の引上げ量を調整することができ、排水性能を一定に保つことができ、種々の操作ハンドル装置を備えた便器や洗浄水タンクに対しても共通化させて適用することができる排水弁装置を提供する。【解決手段】本発明の排水弁装置１は、操作ハンドル装置２８から延びるワイヤ３２の引上げに対応して弁体が引上げられる排水弁装置１であって、洗浄水タンクの排水口の上方に設けられる排水部本体４８と、排水部本体内を上下方向に移動することにより、洗浄水タンクの排水口を開閉する排水弁体３４と、排水弁体３４と接続され、ワイヤにより引上げられる調整機構５６と、を備え、調整機構５６は、操作ハンドル装置２８に固有のワイヤ３２の異なる引上げ量に対し、排水弁体３４の引上げ量を調整することを特徴とする。【選択図】図４
2016069873.tif 000002
【特許請求の範囲】
【請求項１】
便器を洗浄するための洗浄水を貯える洗浄水タンクの排水口に取り付けられ、操作ハンドル装置から延びるワイヤの引上げに対応して弁体が略垂直方向へ引上げられる排水弁装置であって、
前記洗浄水タンクの前記排水口の上方に設けられる排水部本体と、
前記排水部本体内を上下方向に移動することにより、前記洗浄水タンクの前記排水口を開閉する排水弁体と、
前記排水弁体と接続され、前記ワイヤにより引上げられる調整機構と、を備え、
前記調整機構は、
前記操作ハンドル装置に固有の前記ワイヤの異なる引上げ量に対し、前記排水弁体の引上げ量を調整することを特徴とする排水弁装置。
【請求項２】
前記調整機構は、前記排水部本体により回転可能に保持される支点部と、前記ワイヤにより引上げられる力を受ける力点部と、前記排水弁体を引上げるための作用部とを有するてこ式リンクを備え、前記力点部の位置を変更することにより、前記作用部が前記排水弁体を引上げる引上げ量を調整する請求項１に記載の排水弁装置。
【請求項３】
前記調整機構は、前記力点部において、前記ワイヤが上昇するときに前記ワイヤが引っ掛る引掛構造を形成し、前記引掛構造は、前記ワイヤが下降するときに前記ワイヤが引っ掛りを解消して下降できるように形成されている請求項1又は２に記載の排水弁装置。
【請求項４】
さらに、一端に前記ワイヤの先端を保持し、他端にて前記調整機構に回動可能に接続される中継部材を備えている請求項1又は２に記載の排水弁装置。
【請求項５】
請求項１乃至４の何れか１項に記載の排水弁装置を備えたことを特徴とする洗浄水タンク装置。
【請求項６】
上記請求項５記載の洗浄水タンク装置を備えたことを特徴とする水洗大便器。
【発明の詳細な説明】
【技術分野】
【０００１】
本発明は、排水弁装置に係り、特に、便器を洗浄するための洗浄水を貯える洗浄水タンクの排水口に取り付けられ、操作ハンドルから延びるワイヤの引上げに対応して弁体が引上げられる排水弁装置に関する。
【背景技術】
【０００２】
従来から、特許文献１に示すように、便器を洗浄するための洗浄水を貯える洗浄水タンクの排水口に取り付けられる排水弁装置の弁体を、操作ハンドル装置から延びるワイヤにより直接引上げる構造が知られている。このような構造においては、操作ハンドル装置がワイヤを引上げる量が、排水弁装置の弁体の引上げ量となる。
【先行技術文献】
【特許文献】
【０００３】
【特許文献１】特開２０１３−１０４２７１号公報
【発明の概要】
【発明が解決しようとする課題】
【０００４】
しかしながら、種々の操作ハンドル装置を排水弁装置と組合せて使用する場合、例えば、種々の便器や洗浄水タンク装置において共通の排水弁装置を適用しようとする場合や、操作ハンドル又は排水弁装置の不具合等により排水弁装置に対して当初と異なる操作ハンドルを適用しようとする場合等には、ワイヤの引上げ量が異なる操作ハンドル装置が排水弁装置と接続される場合がある。
このような場合、種々の操作ハンドル装置がワイヤを引上げる引上げ量が異なるので、ワイヤにより直接引上げられる排水弁装置の弁体の引上げ量が異なることとなり、洗浄水の排水量及び便器への排水性能を一定に保つことができないという問題がある。さらに、種々の操作ハンドル装置がワイヤを引上げる引上げ量を、排水弁装置の弁体の所定の引上げ量に調整する作業が必要とされることが問題となっている。
【０００５】
そこで、本発明は、上述した従来技術の問題点を解決するためになされたものであり、種々の操作ハンドル装置を排水弁装置と組合せる場合においても、排水弁装置は排水弁体の引上げ量を調整することができ、排水性能を一定に保つことができ、種々の操作ハンドル装置を備えた便器や洗浄水タンクに対しても共通化させて適用することができる排水弁装置を提供することを目的としている。
【課題を解決するための手段】
【０００６】
上記の目的を達成するために、本発明は、便器を洗浄するための洗浄水を貯える洗浄水タンクの排水口に取り付けられ、操作ハンドル装置から延びるワイヤの引上げに対応して弁体が略垂直方向へ引上げられる排水弁装置であって、洗浄水タンクの排水口の上方に設けられる排水部本体と、排水部本体内を上下方向に移動することにより、洗浄水タンクの排水口を開閉する排水弁体と、排水弁体と接続され、ワイヤにより引上げられる調整機構と、を備え、調整機構は、操作ハンドル装置に固有のワイヤの異なる引上げ量に対し、排水弁体の引上げ量を調整することを特徴としている。
このように構成された本発明においては、調整機構は、操作ハンドル装置に固有のワイヤの異なる引上げ量に対し、排水弁体の引上げ量を調整することができる。よって、種々の操作ハンドル装置を排水弁装置と組合せる場合においても、排水弁装置は排水弁体の引上げ量を所定量に保つことができ、排水性能を一定に保つことができる。また、種々の操作ハンドル装置を備えた便器や洗浄水タンク装置に対しても共通化させて適用することができる排水弁装置を提供することができる。
【０００７】
本発明において、好ましくは、調整機構は、排水部本体により回転可能に保持される支点部と、ワイヤにより引上げられる力を受ける力点部と、排水弁体を引上げるための作用部とを有するてこ式リンクを備え、力点部の位置を変更することにより、作用部が排水弁体を引上げる引上げ量を調整する。
このように構成された本発明においては、調整機構のてこ式リンクは、操作ハンドル装置に固有のワイヤの異なる引上げ量に対し、ワイヤにより引上げられる力を受ける力点部の位置を変更することにより、作用部が排水弁体を引上げる引上げ量を所定量に調整することができる。
【０００８】
本発明において、好ましくは、調整機構は、力点部において、ワイヤが上昇するときにワイヤが引っ掛る引掛構造を形成し、引掛構造は、ワイヤが下降するときにワイヤが引っ掛りを解消して下降できるように形成されている。
このように構成された本発明においては、ワイヤが引上げられるとき、ワイヤが引掛構造に引っ掛り力点部に上昇する力を加える。これに対し、ワイヤが下降するとき、ワイヤが引掛構造から外れ、引っ掛りを解消して下降でき、ワイヤが力点部に下降する力を加えない。従って、ワイヤが排水弁体を押し下げることなく、排水弁体の動作に影響を与えないので、排水弁体の閉止動作に影響を与えず、止水水位のばらつきを防ぐことができる。
【０００９】
本発明において、好ましくは、さらに、一端に前記ワイヤの先端を保持し、他端にて調整機構に回動可能に接続される中継部材を備えている。
このように構成された本発明においては、中継部材が一端にワイヤの先端を保持し、且つ他端にて調整機構に回動可能に接続されている。従って、使用者の操作ごとに、ワイヤが下降した状態から、ワイヤが引上げられるとき、ワイヤの根元が曲がるように引上げられることを抑制し且つワイヤの先端と調整機構との係合に不具合が生じることを防ぐことができる。よって、中継部材により確実にワイヤの引上げを調整機構に伝達し、比較的高い精度により調整機構を引上げることができる。また、ワイヤの先端に過大な力がかかり無理に曲げられることを抑制することができるため、ワイヤの先端の破損を抑制することができる。
【００１０】
つぎに、本発明は、前記排水弁装置を備えたことを特徴とする洗浄水タンク装置である。
このように構成された本発明においては、種々の操作ハンドル装置を排水弁装置と組合せる場合においても、排水性能を一定に保つことができる洗浄水タンク装置を提供することができる。
【００１１】
つぎに、本発明は、前記洗浄水タンク装置を備えたことを特徴とする水洗大便器である。
このように構成された本発明においては、種々の操作ハンドル装置を排水弁装置と組合せる場合においても、排水性能を一定に保つことができる水洗大便器を提供することができる。
【発明の効果】
【００１２】
本発明の排水弁装置によれば、種々の操作ハンドル装置を排水弁装置と組合せる場合においても、排水弁装置は排水弁体の引上げ量を調整することができ、排水性能を一定に保つことができ、種々の操作ハンドル装置を備えた便器や洗浄水タンクに対しても共通化させて適用することができる排水弁装置を提供することができる。
【図面の簡単な説明】
【００１３】
【図１】本発明の第１実施形態による排水弁装置が適用された水洗大便器の斜視図である。
【図２】本発明の第１実施形態による排水弁装置が適用された水洗大便器の側面断面図である。
【図３】本発明の第１実施形態による排水弁装置が適用された水洗大便器の洗浄水タンク装置について、貯水タンクの上蓋及び前側壁面を省略して内部構造を前方斜め上方から見た斜視図である。
【図４】本発明の第１実施形態による排水弁装置を示す正面断面図である。
【図５】本発明の第１実施形態による排水弁装置のてこ式リンクからブッシュを取り外した状態で斜め上方から見た分解斜視図である。
【図６】本発明の第１実施形態による排水弁装置のてこ式リンクを斜め下方から見た斜視図である。
【図７】本発明の第１実施形態による排水弁装置のブッシュを斜め下方から見た斜視図である。
【図８】本発明の第１実施形態による排水弁装置のてこ式リンクにワイヤを上方から挿入した状態且つブッシュをてこ式リンクに取付ける前の状態を示す斜視図である。
【図９】図８のワイヤを挿入した状態のてこ式リンクにブッシュを挿入して取付けた状態を示す斜視図である。
【図１０】本発明の第１実施形態による排水弁装置において、使用者が操作ハンドルを操作する前の閉弁状態の排水弁体及びてこ式リンクを示す正面断面図である。
【図１１】本発明の第１実施形態による排水弁装置において、使用者が操作ハンドルを操作し、操作ワイヤが引上げられている途中の状態の排水弁体及びてこ式リンクを示す正面断面図である。
【図１２】本発明の第１実施形態による排水弁装置において、操作ワイヤが最も引上げられている状態の排水弁体及びてこ式リンクを示す正面断面図である。
【図１３】本発明の第１実施形態による排水弁装置において、使用者による操作ハンドルの操作が終了し、操作ワイヤが下降され且つ排水弁体も下降を開始している状態の排水弁体及びてこ式リンクを示す正面断面図である。
【図１４】本発明の第１実施形態による排水弁装置において、使用者による操作ハンドルの操作が終了した後、排水弁体が水位の下降と共に下降して閉弁した状態の排水弁体及びてこ式リンクを示す正面断面図である。
【図１５】本発明の第１実施形態による排水弁装置のてこ式リンクにおいて、操作ワイヤにより引上げられる位置に応じた、操作ワイヤの引上げ量と、作用部が排水弁体を引上げる引上げ量との関係を示す図である。
【図１６】本発明の第２実施形態による排水弁装置のてこ式リンクを示す斜視図である。
【図１７】本発明の第２実施形態による排水弁装置の中継部材を示す斜視図である。
【図１８】本発明の第２実施形態による排水弁装置において、使用者が操作ハンドルを操作する前の閉弁状態の排水弁体及び調整機構を示す正面断面図である。
【図１９】本発明の第２実施形態による排水弁装置において、使用者が操作ハンドルを操作し、操作ワイヤが引上げられている途中の状態の排水弁体及び調整機構を示す正面断面図である。
【図２０】本発明の第２実施形態による排水弁装置において、操作ワイヤが最も引上げられている状態の排水弁体及び調整機構を示す正面断面図である。
【発明を実施するための形態】
【００１４】
つぎに、添付図面により、本発明の第１実施形態による排水弁装置について説明する。
まず、図１及び図２により、本発明の第１実施形態による排水弁装置が適用された水洗大便器について説明する。
図１は本発明の第１実施形態による排水弁装置が適用された水洗大便器の斜視図であり、図２は本発明の第１実施形態による排水弁装置が適用された水洗大便器の側面断面図である。
【００１５】
図１及び図２に示すように、本発明の第１実施形態による排水弁装置１が適用された水洗大便器２は、便器本体４と、この便器本体４の上面後方に設けられた洗浄水タンク装置６とを備えている。洗浄水タンク装置６は、便器を洗浄するための洗浄水を貯える貯水タンク８を備えている。また、この貯水タンク８の底部８ａには、上下方向に貫く排水口１０が設けられている。この排水口１０は、より厳密には、本実施形態の排水弁装置１が取り付けられる貯水タンク８の底部８ａの取付穴８ｂに相当している。なお、本発明の第１実施形態は、洗浄水タンク装置６と便器本体４とが別々に形成された水洗大便器であってもよく、また、洗浄水タンク装置６と便器本体４とが一体的に形成された、いわゆる、ワンピースの水洗大便器であってもよい。
【００１６】
水洗大便器２の便器本体４は、その前方側に設けられたボウル部１２と、このボウル部１２の上縁に形成されたリム部１４と、このリム部１４の内周に形成された横面１６とを備えている。
また、便器本体４のボウル部１２の底部には、排水トラップ管路１８の入口１８ａが開口し、この排水トラップ管路１８は、上方に延びる上昇管１８ｂと、下方に延びる下降管１８ｃを備えている。この排水トラップ管路１８の形状から分かるように、本実施形態による水洗大便器２は、サイホン作用を利用してボウル部内の汚物を吸い込んで排水トラップ管路から一気に外部に排出する、いわゆる、サイホン式の水洗大便器である。
なお、水洗大便器２としては、サイホン式の水洗大便器に限定されず、ボウル部内の水の落差による流水作用で汚物を押し流す、いわゆる、洗い落し式の水洗大便器等の他のタイプの水洗便器にも適用可能である。
【００１７】
つぎに、便器本体４は、洗浄水タンク６の排水口１０から排出される洗浄水が流入する導水路２０と、リム部１４の前方から見て左側中央に形成された第１リム吐水口２２と、リム部１４の前方から見て右側後方に形成された第２リム吐水口２４（図１参照）とを備えている。
また、導水路２０は、下流に向かってリム部１４の後壁面１４ａ付近の分岐領域２０ａまで延びた後、この分岐領域２０ａから第１リム吐水口２２まで延びる第１導水路２０ｂと、分岐領域２０ａから第２リム吐水口２４まで延びる第２導水路２０ｃと備えており、導水路２０の洗浄水は、分岐領域２０ａから第１導水路２０ｂを経て第１リム吐水口２２に到達する一方、分岐領域２０ａから第２導水路２０ｃを経て第２リム吐水口２４に到達し、第１リム吐水口２２及び第２リム吐水口２４のそれぞれから吐水され、ボウル部１２が洗浄され、汚物が排水トラップ管路１８から排出されるようになっている。
【００１８】
つぎに、図２及び図３により、本発明の第１実施形態による排水弁装置が適用された水洗大便器の洗浄水タンクの内部構造について説明する。
図３は本発明の第１実施形態による排水弁装置が適用された水洗大便器の洗浄水タンク装置について、貯水タンクの上蓋及び前側壁面を省略して内部構造を前方斜め上方から見た斜視図である。
図２及び図３に示すように、本発明の第１実施形態による排水弁装置１が適用された水洗大便器２の洗浄水タンク６の貯水タンク８内には、この貯水タンク８内に洗浄水を供給する給水装置２６と、貯水タンク８に貯えられた洗浄水について排水口１０を開放して便器本体４の導水路２０に流出させる、詳細は後述する排水弁装置１が設けられている。この排水弁装置１は、操作ハンドル装置２８の操作ハンドル３０の操作により１本の操作ワイヤ３２が引き上げられることによって排水弁体３４が上昇して貯水タンク８の排水口１０が開放される、いわゆる、ワイヤ駆動式の直動型の排水弁装置である。
【００１９】
また、給水装置２６は、外部の給水源（図示せず）に接続され且つ貯水タンク８の底部から上方に延びるように設けられた給水管３６と、この給水管３６の上端部に取り付けられ、給水管３６から給水される洗浄水の貯水タンク８内への吐水と止水を切り替える給水バルブ３８と、貯水タンク８内の水位の変動に応じて上下動して給水バルブ３８による吐水と止水を切り替えるフロート４０とを備えている。
【００２０】
給水管３６の外周側下端部には、複数の吐水口４２が形成され、給水バルブ３８を通過した洗浄水が吐水口４２から貯水タンク８内に吐水されるようになっている。
また、給水装置２６においては、排水弁装置１により、貯水タンク８内の洗浄水が便器に排水されると、洗浄水の水位が低下してフロート４０が下降し、それにより給水バルブ３８が開き、吐水口４２からの吐水が開始され、洗浄水タンク６の外部の給水源（図示せず）から貯水タンク８内への吐水が開始されるようになっている。
さらに、吐水が継続されて貯水タンク８内の水位が上昇すると、フロート４０が上昇し、それにより給水バルブ３８が閉鎖され、吐水口４２からの吐水が止水されるようになっている。これにより、貯水タンク８内の洗浄水の水位が満水時の所定水位（以下「満水水位Ｗ０」）に維持されるようになっている。ここで、満水水位Ｗ０は、実質的には、排水開始前の貯水タンク８内の初期水位にも相当している。
なお、給水装置２６は、本実施形態では説明を省略するが、リフィール管（図示せず）等を備えており、このリフィール管（図示せず）から流出する一部の洗浄水が、オーバーフロー管４４内に流れ込み、便器本体４の導水路２０を経て補給水としてボウル部１２内に供給されることができるようになっている。
【００２１】
また、図３に示すように、排水弁装置１の動作を操作する操作ハンドル装置２８は、貯水タンク８の外部に取り付けられた操作ハンドル３０と、貯水タンク８の内部に設けられて操作ハンドル３０に連結されるワイヤ巻取り装置４６を備えている。このワイヤ巻取り装置４６は、操作ハンドル３０が手動により回転操作されたときの回転力がワイヤ巻取り装置４６のケーシング４６ａ内のプーリやギヤ等の回転機構部材（図示せず）に伝達されるようになっている。また、ワイヤ巻取り装置４６と排水弁装置１とは、操作ワイヤ３２によって互いに連結されており、操作ハンドル装置２８の操作ハンドル３０を手動で回転操作することにより、ワイヤ巻取り装置４６を介して１本の操作ワイヤ３２が引き上げられ、排水弁体３４が略垂直方向へ上昇して貯水タンク８の排水口１０が開放されるようになっている。操作ワイヤ３２は、ワイヤカバー３３内で摺動可能となるように収納されており、ワイヤカバー３３がワイヤ巻取り装置４６の下部から排水部本体４８の頂部まで延びている。
【００２２】
なお、本発明の第１実施形態による排水弁装置１は、ワイヤ駆動式の種々の操作ハンドル装置２８と組合せて使用することができる。すなわち、種々の操作ハンドル装置２８の意義には、他の様々な操作ハンドル及びワイヤ巻取り装置の組合せにより操作ワイヤを引上げる機構を有する他の操作ハンドル装置が含まれている。すなわち、異なる種々の操作ハンドル装置を使用する場合には操作ワイヤ３２の引上げ量が異なる場合がある。
なお、本発明の第１実施形態においては、操作ハンドル装置２８の操作ハンドル３０を手動で回転操作することによりワイヤ巻取り装置４６を操作し、操作ワイヤ３２の引き上げ操作が可能な例について説明するが、操作ハンドル３０の代わりに押しボタンのようなものを採用し操作ワイヤ３２を引上げるような機構を有していてもよい。
【００２３】
つぎに、図４〜図９を参照して、本発明の第１実施形態による排水弁装置の詳細について説明する。
まず、図４は、本発明の第１実施形態による排水弁装置を示す正面断面図であり、図５は本発明の第１実施形態による排水弁装置のてこ式リンクからブッシュを取外した状態で斜め上方から見た分解斜視図であり、図６は本発明の第１実施形態による排水弁装置のてこ式リンクを斜め下方から見た斜視図であり、図７は本発明の第１実施形態による排水弁装置のブッシュを斜め下方から見た斜視図であり、図８は本発明の第１実施形態による排水弁装置のてこ式リンクにワイヤを上方から挿入した状態且つブッシュをてこ式リンクに取付ける前の状態を示す斜視図であり、図９は図８のワイヤを挿入した状態のてこ式リンクにブッシュを挿入して取付けた状態を示す斜視図である。
【００２４】
図４に示すように、本実施形態の排水弁装置１は、貯水タンク８の底部８ａの取付穴８ｂに取り付けられ且つ便器本体４の導水路２０に連通する排水口１０の上方に設けられる排水部本体４８を備えている。この排水部本体４８の側方には、上下方向に延びるオーバーフロー管４４が設けられており、このオーバーフロー管４４内の下方流路４４ａの下流側端部は、排水部本体４８の内側に形成されている排水流路５０と連通している。
排水部本体４８は、排水口１０の上方に円筒形状に形成され、その頂部４８ａにはワイヤカバー３３が取付けられるとともに、ワイヤカバー３３内を通る操作ワイヤ３２を排水部本体８内に通すワイヤ孔４８ｂが形成されている。ワイヤ孔４８ｂは、排水口１０の中心の上方且つ排水弁体の上方に形成され、操作ワイヤ３２が引上げられる場合に排水弁体３４を鉛直方向に引上げる直動式の弁機構が形成されている。
また、排水部本体４８の頂部４８ａから内方且つ下方に向かって垂下する２本の吊下腕５２の間に横方向に延びる支持軸５４が形成されている。２本の吊下腕５２の間の支持軸５４に後述するてこ式リンク９４の支点部８８が回転可能に取付けられるようになっている。
【００２５】
排水弁装置１は、さらに、排水部本体４８内を鉛直方向に上下することにより、貯水タンク８の排水口１０を開閉する排水弁体３４と、排水弁体３４と接続され、操作ワイヤ３２により引上げられる調整機構５６とを備えている。排水弁体３４は円形の弁体６１と、その弁体６１の中央から上方に延びる円筒形の軸部６３の形状を有している。
【００２６】
なお、本実施形態では、図４に示すように、排水弁装置１の排水部本体４８の内部には、排水弁体３４、調整機構５６以外にも、大洗浄モードと小洗浄モードのそれぞれの場合の便器洗浄が終了されるタイミング及びそれぞれの場合の洗浄水量を調整するための種々の関連部材等が設けられているが、これらの関連部材については、省略しても、操作ワイヤ３２による調整機構５６や排水弁体３４の引上げ機能は最低限確保することができるため、説明は省略する。
【００２７】
つぎに、図４〜図９を参照して、本発明の第１実施形態による排水弁装置１の調整機構５６の詳細について説明する。
調整機構５６は、排水弁体３４を引上げる位置に対し、操作ワイヤ３２により引上げられる位置を調整できる。調整機構５６は、種々の操作ハンドル装置２８のそれぞれに固有の、例えば本実施形態においては種々の操作ハンドル装置２８に固有の操作ワイヤ３２の異なる引上げ量に対し、操作ワイヤ３２の係合位置に応じて排水弁体３４の引上げ量を所定量にするように引上げ量の比を調整するようになっている。すなわち、調整機構５６は、操作ワイヤ３２の引上げ量に対する排水弁体３４の引上げ量の比率を調整することができる。
よって、調整機構５６は、種々の操作ハンドル装置２８に固有の操作ワイヤ３２の異なる最大の引上げ量に対し、操作ワイヤ３２の係合位置に応じて排水弁体３４の最大の引上げ量Ｌ１に調整するようになっている。
【００２８】
より詳細には、調整機構５６は、排水部本体４８の支持軸５４により回転可能に保持される支点部８８と、操作ワイヤ３２が後述するブッシュ９８を介して係合される力点部９０と、排水弁体３４を引上げるための作用部９２とを有するてこ式リンク９４と、排水弁体３４とてこ式リンク９４とをそれぞれ回動可能に接続する接続リンク５８と、てこ式リンク９４に取付けられた状態で操作ワイヤ３２と係合するブッシュ９８と、を備えている。
【００２９】
てこ式リンク９４の一端側には支点部８８が形成され、支点部８８は排水部本体４８の支持軸５４に取付けられ、支持軸５４の周りに回転できるようになっている。支点部８８は支持軸５４とともにてこの支点の機能を果たしている。また、てこ式リンク９４の他端側には作用部９２が形成され、作用部９２は、接続リンク５８と連結すると共に、てこ式リンク９４に対して接続リンク５８を自由な角度に回転できるように接続リンク５８を回動自在に保持している。作用部９２はてこの作用点の機能を果たしている。
また、てこ式リンク９４の中間部分には、力点部９０が形成されている。力点部９０は、操作ワイヤ３２が後述するブッシュ９８を介しててこ式リンク９４に係合された状態で操作ワイヤ３２がてこ式リンク９４に力を加えるようになっている。この力点部９０はてこの力点の機能を果たしている。支点部８８、力点部９０及び作用部９２により、操作ワイヤ３２が力点部９０に及ぼす引上げ力を作用部９２が排水弁体３４を引上げる力として伝達できる。
なお、支点部８８、力点部９０及び作用部９２の位置関係は、てこ式リンク９４上において自在に変更可能である。本実施形態においては、一端から作用部９２、力点部９０、支点部８８の順に配置されている位置関係を、例えば、支点部８８、力点部９０、作用部９２の順に配置してもよく、作用部９２、支点部８８、力点部９０の順に配置してもよい。
【００３０】
てこ式リンク９４に、ブッシュ９８が挿入されることにより力点部９０が形成される。てこ式リンク９４は、上述のように一端側には支点部８８が形成され、他端側には作用部９２が形成されている。てこ式リンク９４は、側面において横方向にブッシュ９８が挿入される横開口部９４ａが形成され、さらに、縦方向に操作ワイヤ３２が貫通した状態で配置できる縦開口部９４ｂが形成されている。横開口部９４ａと縦開口部９４ｂはてこ式リンク９４内で十字のように隙間空間を形成し、中心近傍において横開口と縦開口が重なりあった共通の隙間空間を形成している。
【００３１】
図５及び図７に示すように、ブッシュ９８は、四角形状の部材であり、上下方向に貫通する貫通孔９８ａを形成している。ブッシュ９８は、上面視で、コの字形状に形成され、中央部分からブッシュ９８の先端９８ｂまで貫通孔９８ａが開口されている。すなわち、ブッシュ９８が横向きに横開口部９４ａに挿入されるときにブッシュ９８の先端９８ｂの貫通孔９８ａの部分に操作ワイヤ３２を通すことができる。図８に示すように、操作ワイヤ３２がてこ式リンク９４の縦開口部９４ｂに通した状態にされる。次に、図９に示すように、ブッシュ９８は、横方向から横開口部９４ａに差し込まれ、操作ワイヤ３２を貫通孔９８ａ内に配置するように挟み込んだ状態で配置される。ブッシュ９８がてこ式リンク９４内に配置されると、操作ワイヤ３２は依然として上下方向に摺動可能であるが、前後左右方向においてはブッシュ９８の貫通孔９８ａを通過する位置にとどめられた（拘束された）状態となる。
【００３２】
また、ブッシュ９８は、ブッシュ９８がてこ式リンク９４内に配置された状態において、操作ワイヤ３２を上下方向に移動可能に通過させているが、操作ワイヤ３２の引上げ時には、操作ワイヤ３２のワイヤ先端部３２ａが引上げられるとき、ワイヤ先端部３２ａはブッシュ９８の貫通孔９８ａを通過することができないような大きさに形成されている。従って、操作ワイヤ３２の引上げ時には、ワイヤ先端部３２ａは、ブッシュ９８の下面９８ｃに接触し、引上げる力をブッシュ９８及びてこ式リンク９４に作用させることになる。すなわち、ブッシュ９８がてこ式リンク９４に挿入された状態で、操作ワイヤ３２が上昇するときに、操作ワイヤ３２が引っ掛る引掛構造を形成している。
一方で、操作ワイヤ３２が下降するときには、操作ワイヤ３２はブッシュ９８の貫通孔９８ａを自由に下降でき、ワイヤ先端部３２ａはブッシュ９８の下面９８ｃから外れて下降するように形成されている。従って、操作ワイヤ３２が下降するときには、操作ワイヤ３２がブッシュ９８及びてこ式リンク９４により形成される引掛構造から外れ、操作ワイヤ３２が力点部９０に下降する力を加えないようになっている。
【００３３】
てこ式リンク９４は、横開口部９４ａの自在な位置にブッシュ９８を挿入することができるように形成されている。よって、てこ式リンク９４にブッシュ９８が挿入された位置に操作ワイヤ３２が位置決めされ、操作ワイヤ３２の引上げ力が作用する力点部９０の位置が決定される。てこ式リンク９４はてこの役割を果たすので、操作ワイヤ３２が力点部９０に及ぼす操作ワイヤ３２の引上げ量に対し、作用部９２が排水弁体３４を引上げる引上げ量が調整される。
【００３４】
つぎに、図１０〜図１４を参照して、本発明の第１実施形態による排水弁装置、この排水弁装置を備えた洗浄水タンク装置、及び、この洗浄水タンク装置を備えた水洗大便器の動作（作用）を説明する。
図１０に示すように、排水弁装置１の排水開始前の状態では、排水弁体３４が弁座３５に当接して排水口１０が閉止され、貯水タンク８内の水位が満水時の満水水位Ｗ０となっている。
使用者が操作ハンドル装置２８の操作ハンドル３０を所定の方向に回転操作し、大洗浄モード又は小洗浄モードのいずれかの洗浄モードによる便器洗浄を開始すると、操作ハンドル装置２８のワイヤ巻取り装置４６により操作ワイヤ３２が巻き取られて引き上げられる。
【００３５】
図１１に示すように、操作ワイヤ３２が引上げられるとき、ワイヤ先端部３２ａがブッシュ９８の下面９８ｃに接触し、引上げる力をブッシュ９８及びてこ式リンク９４の力点部９０に作用させる。よって、力点部９０が操作ワイヤ３２が引上げられる引上げ量分まで引上げられる。このとき、てこ式リンク９４は、支点部８８を支点として回転し、作用部９２が上昇する。
てこ式リンク９４において、支点部８８、力点部９０及び作用部９２は所定の位置関係を有しているので、作用部９２は一定の想定引上げ量の高さに引上げられる。作用部９２は接続リンク５８を介して排水弁体３４を同様の一定の想定引上げ量の高さに引上げる。排水弁体３４が引上げられるので、貯水タンク８内の洗浄水が排水口１０から排出され、貯水タンク８内の洗浄水の水位Ｗが徐々に下降する。
【００３６】
使用者の操作ハンドル３０の回転操作が終了した状態、すなわち操作ワイヤ３２が想定される引上げ量まで引上げられた状態が図１２に示されている。この状態において、操作ワイヤ３２は最も引上げられた状態となっており、排水弁体３４が最大の引上げ高さ、すなわち一定の想定引上げ量Ｌ１の高さに引上げられる。
【００３７】
使用者が操作ハンドル３０の操作を終了して手を放すと、操作ハンドル３０及びワイヤ巻取り装置４６が元の初期状態に戻ろうとするので、図１３に示すように、操作ワイヤ３２が下降することとなる。操作ワイヤ３２が下降するときに操作ワイヤ３２のワイヤ先端部３２ａがブッシュ９８の下面９８ｃから外れて下降する。従って、操作ワイヤ３２は、操作ワイヤ３２の下降に伴って力点部９０に下降する力を及ぼさないようになっている。
【００３８】
排水弁体３４は、図１２に示すような、最大引上げ高さまで引上げられた後は、使用者の操作に影響されることなく、自重及び水位の下降に起因して、大洗浄モード又は小洗浄モードのいずれかの洗浄モードに応じて決められた所定の閉弁動作をしながら、水位の降下と共にさらに下降して閉弁する。操作ワイヤ３２は、力点部９０に下降する力を及ぼさないので、所定の閉弁動作に影響を及ぼさないようになっている。種々の操作ハンドル装置２８を適用する場合においても、排水弁体３４を所定の想定引上げ量の高さに引上げることができることにより、貯水タンク８から排水される洗浄水量を一定に保つことができ、排水性能を一定に保つことができる。
排水弁体３４が弁座３５に当接して、排水口１０が閉止された状態となり、排水弁装置１の排水が終了する。そして、貯水タンク８内の洗浄水は、給水装置２６による給水によって、所定の止水水位（満水水位Ｗ０）まで貯水されるようになっている。
【００３９】
次に、図１５により、種々の操作ハンドル装置２８を排水弁装置１と組合せる場合においても、異なる操作ワイヤ３２の引上げ量に対し、作用部９２が排水弁体３４を引上げる引上げ量を調整することができることを説明する。
図１５は、てこ式リンク９４における操作ワイヤ３２により引上げられる位置（てこ式リンク９４にブッシュ９８が挿入される位置）に応じた、操作ワイヤ３２の引上げ量と、作用部９２が排水弁体３４を引上げる引上げ量との関係を示す図である。
図１５においては、支点部８８を中心としたてこ式リンク９４の可動範囲を仮想的に図示している。具体的には、排水弁体３４の閉弁時の待機状態（図１０に示すような閉弁時の状態）におけるてこ式リンク９４の位置を、仮想線Ａ１で示している。なお、仮想線Ａ１で示すてこ式リンク９４の位置を分かりやすくするためにてこ式リンク９４の中心の位置を示す補助線を支点部８８から作用部９２をこえて延びるように図示している。
排水弁体３４の引上げ途中の状態（図１１に示すような状態）におけるてこ式リンク９４の位置を、図１５において実線で示している。また、排水弁体３４の引上げが完了して開弁されている状態（図１２に示すような開弁時の状態）におけるてこ式リンク９４の位置を、仮想線Ａ２で示している。なお、仮想線Ａ２で示すてこ式リンク９４の位置を分かりやすくするためにてこ式リンク９４の中心の位置を示す補助線を支点部８８から作用部９２をこえて延びるように図示している。
【００４０】
てこ式リンク９４の作用部９２が、使用前の待機状態の閉弁時の位置（仮想線Ａ１）から開弁時の位置（仮想線Ａ２）まで想定される引上げ量Ｌ１の高さ引上げられることにより、排水弁体３４が想定される引上げ量Ｌ１の高さ引上げられることとなる。引上げ高さを所定量に調整することにより排水弁体３４が徐々に下降して閉弁されるまでの間に排水される洗浄水の量が想定された一定量とすることができる。排水弁体３４の所定の想定される引上げ量Ｌ１の高さは、便器の洗浄に必要な排水性能を保つために必要な引上げ量を満たすように設定される。
【００４１】
てこ式リンク９４においては、操作ワイヤ３２の引上げ量が異なる場合に、力点部９０の位置を変更することにより、てこ式リンク９４の作用部９２が所定の想定引上げ量Ｌ１の高さまで引上げられるようにすることができる。
仮に、てこ式リンク９４の作用部９２の一定の引上げ量Ｌ１を４０ｍｍとする。
図１５に示すように、てこ式リンク９４において、支点部８８（支持軸５４）の位置を０とし、且つ作用部９２の支点部８８からの距離を１とした場合に、仮に、力点部９０’を支点部８８から４分の３の距離の位置に配置するとき、力点部９０’を引上げ量Ｌ２（３０ｍｍ）の高さまで引上げることにより、作用部９２が一定の引上げ量Ｌ１（４０ｍｍ）の高さまで引上げられる。すなわち、操作ワイヤ３２が引上げ量Ｌ２（３０ｍｍ）引き上げられる操作ハンドル装置２８を接続する場合に、てこ式リンク９４が排水弁体３４を一定の引上げ量Ｌ１（４０ｍｍ）の高さまで引上げることができる。
また、仮に、力点部９０’’を支点部８８から２分の１の位置に配置するとき、力点部９０’’を引上げ量Ｌ３（２０ｍｍ）の高さまで引上げることにより、作用部９２が一定の引上げ量Ｌ１（４０ｍｍ）の高さまで引上げられる。すなわち、操作ワイヤ３２が引上げ量Ｌ３（２０ｍｍ）引き上げられる操作ハンドル３０を接続する場合に、てこ式リンク９４が排水弁体３４を一定の引上げ量Ｌ１（４０ｍｍ）の高さで引上げることができる。
このように、てこ式リンク９４においては、力点部９０と支点部８８との距離と、作用部９２と支点部８８との距離との比を変更することにより、操作ワイヤ３２の引上げ量と、てこ式リンク９４が排水弁体３４を引上げる引上げ量との比率を調整できる。従って、操作ワイヤ３２が引上げる引上げ量が異なる場合に、てこ式リンク９４が排水弁体３４を一定の引上げ量Ｌ１の高さで引上げるように調整することができる。
【００４２】
上述した本発明の第１実施形態による排水弁装置１によれば、調整機構５６は、操作ハンドル装置２８に固有の操作ワイヤ３２の異なる引上げ量に対し、排水弁体３４の引上げ量を所定量に調整することができる。よって、種々の操作ハンドル装置２８を排水弁装置１と組合せる場合においても、排水弁装置１は排水弁体３４の引上げ量を所定量に調整することができ、排水性能を一定に保つことができる。また、種々の操作ハンドル装置２８を備えた便器や洗浄水タンク装置に対しても共通化させて適用することができる排水弁装置１を提供することができる。
【００４３】
さらに、本実施形態の排水弁装置１によれば、調整機構５６のてこ式リンク９４は、操作ハンドル装置２８に固有の操作ワイヤ３２の異なる引上げ量に対し、操作ワイヤ３２により引上げられる力を受ける力点部９０の位置を変更することにより、作用部９２が排水弁体を引上げる引上げ量を調整することができる。
【００４４】
また、本実施形態による排水弁装置１によれば、操作ワイヤ３２が引上げられるとき、操作ワイヤ３２がブッシュ９８に引っ掛りブッシュ９８及び力点部９０に上昇する力を加える。これに対し、操作ワイヤ３２が下降するとき、操作ワイヤ３２がブッシュ９８から外れ、引っ掛りを解消して下降でき、操作ワイヤ３２が力点部９０に下降する力を加えない。従って、操作ワイヤ３２が排水弁体３４を押し下げることなく、排水弁体３４の動作に影響を与えないので、排水弁体３４の閉止動作に影響を与えず、洗浄水の水位下降の下端となる止水水位のばらつきを防ぐことができる。
【００４５】
また、本実施形態による排水弁装置１を備えた洗浄水タンク装置６によれば、種々の操作ハンドル装置２８を排水弁装置１と組合せる場合においても、排水性能を一定に保つことができる洗浄水タンク装置６を提供することができる。
【００４６】
さらに、本実施形態による排水弁装置１を有する洗浄水タンク装置６を備えた水洗大便器２によれば、種々の操作ハンドル装置２８を排水弁装置１と組合せる場合においても、排水性能を一定に保つことができる水洗大便器２を提供することができる。
【００４７】
次に、図１６及び図２０を参照して、本発明の第２実施形態による排水弁装置１０１について説明する。本実施形態の排水弁装置１０１は、調整機構１５６のてこ式リンク１９４及び中継部材１６２が上述した第１実施形態とは異なる。ここでは、本発明の第２実施形態の第１実施形態とは異なる点のみを説明し、同様な部分については図面に同じ参照符号を付して説明を省略する。上述した第１実施形態においては、調整機構５６は、てこ式リンク９４と、接続リンク５８と、ブッシュ９８と、を備えていた。これに対し、本実施形態においては、調整機構１５６は、てこ式リンク１９４と、接続リンク５８と、中継部材１６２とを備えている。
【００４８】
図１６は本発明の第２実施形態による排水弁装置のてこ式リンクを示す斜視図であり、図１７は本発明の第２実施形態による排水弁装置の中継部材を示す斜視図であり、図１８は本発明の第２実施形態による排水弁装置において、使用者が操作ハンドルを操作する前の閉弁状態の排水弁体及び調整機構を示す正面断面図であり、図１９は本発明の第２実施形態による排水弁装置において、使用者が操作ハンドルを操作し、操作ワイヤが引上げられている途中の状態の排水弁体及び調整機構を示す正面断面図であり、図２０は本発明の第２実施形態による排水弁装置において、操作ワイヤが最も引上げられている状態の排水弁体及び調整機構を示す正面断面図である。
【００４９】
図１６に示すように、調整機構１５６は、操作ワイヤ３２が中継部材１６２を介して係合される力点部１９０を有するてこ式リンク１９４と、排水弁体３４とてこ式リンク１９４とを接続する接続リンク５８と、一端がてこ式リンク１９４と回動可能に係合し、且つ他端が操作ワイヤ３２のワイヤ先端部３２ａと係合するようになっている中継部材１６２とを備えている。
てこ式リンク１９４の中間部分には、力点部１９０が形成されている。力点部１９０は、操作ワイヤ３２が後述する中継部材１６２を介して係合された状態で操作ワイヤ３２がてこ式リンク１９４に力を加えるようになっている。この力点部１９０はてこの力点の機能を果たしている。
【００５０】
てこ式リンク１９４は、上述のように一端側には支点部８８が形成され、他端側には作用部９２が形成されている。てこ式リンク１９４は、さらに、その側面に、横方向に中継部材１６２の中継部材支持軸１６４が取付けられる横開口部１６６を形成し、その上部に中継部材支持軸１６４の外周の曲面に合致するような半円形の凹み部１６８が形成されている。中継部材支持軸１６４の円形の外周が凹み部１６８に嵌合した状態で回転できるので、軸受けのように中継部材支持軸１６４並びに中継部材１６２が、中継部材支持軸１６４を中心として回転動作することができる。
また、てこ式リンク１９４は、中継部材縦軸１７０が貫通した状態で配置できる縦方向の縦開口部１７２が形成されている。横開口部１６６と縦開口部１７２はてこ式リンク１９４内で十字のように隙間空間を形成し、中心近傍において重なりあった共通の隙間空間を形成している。従って、中継部材支持軸１６４が横開口部１６６内の所定の凹み部１６８に合致するように配置されるとき、中継部材１６２は中継部材支持軸１６４を中心に自由に回動することができる。
【００５１】
中継部材１６２は、横方向に延び且つ横開口部１６６内に配置される場合に回転軸の機能を果たすことが出来る中継部材支持軸１６４と、中継部材支持軸１６４の中央から縦方向に延びる中継部材縦軸１７０と、中継部材縦軸１７０の上部において横向きの円筒形状に形成されている環状部１７４とを備えている。
環状部１７４は、外周のうちの中央近傍の一部を切り欠いたような外周開口部１７４ａを形成している。外周開口部１７４ａは環状部１７４の上方側を中心に扇形に開口されて形成され、操作ワイヤ３２のワイヤ先端部３２ａを環状部１７４内に配置した場合に操作ワイヤ３２が外周開口部１７４ａ内を外周開口部１７４ａに沿って上方に延びることができるようになっている。外周開口部１７４ａは操作ワイヤ３２を通すが、ワイヤ先端部３２ａを通すことができないような幅の開口を形成している。また、環状部１７４には、ワイヤ３２のワイヤ先端部３２ａを環状部１７４内に配置するために、操作ワイヤ３２を外周開口部１７４ａに通すために必要な通路１７４ｂも形成されている。
従って、操作ワイヤ３２の引上げ時には、ワイヤ先端部３２ａは、環状部１７４の内周面１７４ｃに接触し、引上げる力をてこ式リンク１９４に作用させることになる。すなわち、中継部材１６２が、操作ワイヤ３２が上昇するときに、操作ワイヤ３２が引っ掛る引掛構造を形成している。
【００５２】
環状部１７４は、ワイヤ先端部３２ａを内部に収容した状態とすることができ、さらに円形の内周面１７４ｃを有している。従って、ワイヤ先端部３２ａが四角形状、円筒形状、球形状等の種々の形状有する場合にも、ワイヤ先端部３２ａと内周面１７４ｃとの係合に不具合が生じることを防ぎワイヤが比較的高い精度により調整機構を引上げることが出来る。また、ワイヤ先端部３２ａに過大な力がかかり無理に曲げられることを抑制することができるため、ワイヤ先端部３２ａの破損を抑制することができる。
【００５３】
てこ式リンク１９４は、横開口部１６６の自在な位置に中継部材支持軸１６４を挿入することができるように形成されている。よって、てこ式リンク１９４に中継部材支持軸１６４が挿入された位置により操作ワイヤ３２が連絡する位置が位置決めされ、操作ワイヤ３２の引上げ力が作用する力点部１９０の位置が決定される。てこ式リンク１９４はてこの役割を果たすので、操作ワイヤ３２が力点部１９０に及ぼす操作ワイヤ３２の引上げ量に対し、作用部９２が排水弁体３４を引上げる引上げ量が調整される。
【００５４】
次に、本発明の第２実施形態による排水弁装置１０１の作用を第１実施形態とは異なる点のみ説明する。
図１８は、本発明の第２実施形態による排水弁装置において、使用者が操作ハンドルを操作する前の閉弁状態の排水弁体及び調整機構を示す正面断面図であり、図１９は本発明の第２実施形態による排水弁装置において、使用者が操作ハンドルを操作し、操作ワイヤが引上げられている途中の状態の排水弁体及び調整機構を示す正面断面図であり、図２０は本発明の第２実施形態による排水弁装置において、操作ワイヤが最も引上げられている状態の排水弁体及び調整機構を示す正面断面図である。
【００５５】
図１８に示すように、排水弁装置１０１の排水開始前の状態（使用者が操作ハンドル３０を操作する前の閉弁状態）では、排水弁体３４が弁座３５に当接して排水口１０が閉止されており、てこ式リンク１９４は支点部８８を中心として作用部９２が下降した閉弁位置に配置されている。この状態において、中継部材１６２は、中継部材支持軸１６４が横開口部１６６に取付けられ、中継部材１６２の環状部１７４の内部に操作ワイヤ３２の先端部３２ａが配置された状態となっている。
【００５６】
図１９に示すように、操作ワイヤ３２が引上げられるとき、ワイヤ先端部３２ａが環状部１７４の内周面１７４ｃに接触し、引上げる力を環状部１７４及びてこ式リンク１９４の力点部１９０に作用させる。よって、力点部１９０が操作ワイヤ３２が引上げられる引上げ量分まで引上げられる。このとき、てこ式リンク１９４は、支点部８８を支点として回転し、作用部９２が上昇する。この作用部９２の引上げ量に応じて、排水弁体３４が所定の引上げ量Ｌ１の高さまで引上げられる。中継部材１６２の上昇に伴い、中継部材支持軸１６４がてこ式リンク１９４に対して回転し、環状部１７４における先端部３２ａが環状部１７４を鉛直方向に引上げることができる。
【００５７】
使用者の操作ハンドル３０の回転操作が終了した状態、すなわち操作ワイヤ３２が想定される引上げ量まで引上げられた状態が図２０に示されている。この状態において、操作ワイヤ３２は最も引上げられた状態となっており、中継部材１６２自身も鉛直方向に引上げられている。中継部材１６２の上昇に伴い、てこ式リンク１９４の支点部８８を中心として力点部１９０及び作用部９２が上昇している。このとき、排水弁体３４が最大の引上げ高さ、すなわち所定の想定引上げ量Ｌ１の高さに引上げられる。
【００５８】
使用者が操作ハンドル３０の操作を終了して手を放すと、操作ハンドル３０及びワイヤ巻取り装置４６が元の初期状態に戻ろうとする。操作ワイヤ３２が下降するときには、操作ワイヤ３２のワイヤ先端部３２ａが環状部１７４内に配置された状態で下降し、中継部材１６２の環状部１７４が中継部材支持軸１６４に対して横方向に移動するように下降する。従って、中継部材１６２が操作ワイヤ３２の下降に伴って操作ワイヤ３２が力点部１９０に及ぼす力を抑制するようになっている。
【００５９】
上述した本発明の第２実施形態による排水弁装置１０１によれば、調整機構１５６は、操作ハンドル装置２８に固有の操作ワイヤ３２の異なる引上げ量に対し、排水弁体３４の引上げ量を所定量に調整することができる。よって、種々の操作ハンドル装置２８を排水弁装置１０１と組合せる場合においても、排水弁装置１は排水弁体３４の引上げ量を所定量に調整することができ、排水性能を一定に保つことができる。また、種々の操作ハンドル装置２８を備えた便器や洗浄水タンク装置に対しても共通化させて適用することができる排水弁装置１を提供することができる。
【００６０】
さらに、本実施形態の排水弁装置１０１によれば、調整機構１５６のてこ式リンク１９４は、操作ハンドル装置２８に固有の操作ワイヤ３２の異なる引上げ量に対し、操作ワイヤ３２により引上げられる力を受ける力点部１９０の位置を変更することにより、作用部９２が排水弁体３４を引上げる引上げ量を所定量に調整することができる。
【００６１】
さらに、本実施形態の排水弁装置１０１によれば、中継部材１６２が一端に操作ワイヤ３２の先端を保持し、且つ他端にて調整機構１５６に回動可能に接続されている。従って、使用者の操作ごとに、操作ワイヤ３２が下降した状態から、操作ワイヤ３２が引上げられるとき、操作ワイヤ３２の根元が曲がるように引上げられることを抑制し且つ操作ワイヤ３２のワイヤ先端部３２ａと調整機構１５６の環状部１７４との係合に不具合が生じることを防ぐことができる。よって、中継部材１６２により確実に操作ワイヤ３２の引上げを調整機構１５６に伝達し、比較的高い精度により調整機構１５６を引上げることができる。また、操作ワイヤ３２のワイヤ先端部３２ａに過大な力がかかり無理に曲げられることを抑制することができるため、ワイヤ先端部３２ａの破損を抑制することができる。
【符号の説明】
【００６２】
１        排水弁装置
２        水洗大便器
４        便器本体
６        洗浄水タンク装置
８        貯水タンク
８ａ      底部
８ｂ      取付穴
１０      排水口
１２      ボウル部
１４      リム部
１４ａ    後壁面
１６      横面
１８      排水トラップ管路
１８ａ    入口
１８ｂ    上昇管
１８ｃ    下降管
２０      導水路
２０ａ    分岐領域
２０ｂ    導水路
２０ｃ    導水路
２２      第１リム吐水口
２４      第２リム吐水口
２６      給水装置
２８      操作ハンドル装置
３０      操作ハンドル
３２      操作ワイヤ
３２ａ    ワイヤ先端部
３３      ワイヤカバー
３４      排水弁体
３５      弁座
３６      給水管
３８      給水バルブ
４０      フロート
４２      吐水口
４４      オーバーフロー管
４４ａ    下方流路
４６      ワイヤ巻取り装置
４６ａ    ケーシング
４８      排水部本体
４８ａ    上面
４８ｂ    ワイヤ孔
５０      排水流路
５２      吊下腕
５４      支持軸
５６      調整機構
５８      接続リンク
６１      弁体
６３      軸部
８８      支点部
９０      力点部
９２      作用部
９４      てこ式リンク
９４ａ    横開口部
９４ｂ    縦開口部
９８      ブッシュ
９８ａ    貫通孔
９８ｂ    先端
９８ｃ    下面
１０１    排水弁装置
１５６    調整機構
１６２    中継部材
１６４    中継部材支持軸
１６６    横開口部
１６８    凹み部
１７０    中継部材縦軸
１７２    縦開口部
１７４    環状部
１７４ａ  外周開口部
１７４ｂ  通路
１７４ｃ  内周面
１９０    力点部
１９４    てこ式リンク
Ａ１      仮想線
Ａ２      仮想線
Ｗ        水位
Ｗ０      満水水位
【図１】
2016069873.tif 000003
【図２】
2016069873.tif 000004
【図３】
2016069873.tif 000005
【図４】
2016069873.tif 000006
【図５】
2016069873.tif 000007
【図６】
2016069873.tif 000008
【図７】
2016069873.tif 000009
【図８】
2016069873.tif 000010
【図９】
2016069873.tif 000011
【図１０】
2016069873.tif 000012
【図１１】
2016069873.tif 000013
【図１２】
2016069873.tif 000014
【図１３】
2016069873.tif 000015
【図１４】
2016069873.tif 000016
【図１５】
2016069873.tif 000017
【図１６】
2016069873.tif 000018
【図１７】
2016069873.tif 000019
【図１８】
2016069873.tif 000020
【図１９】
2016069873.tif 000021
【図２０】
2016069873.tif 000022